(57)【要約】【課題】水田法面の尻に溜まる雨水、地下水による泥濘を無くす方法がない【解決する手段】法面の尻の法面側に縦穴開口穴を設け、その内部空間に多段リング骨材を収容し、多段リング骨材の全周に杭棒を打ち込み、多段リング骨材内部空間に排水を集水する容器、およびた縦開口穴活用建柱構築【選択図】図２
2018084096.tif 000002
【特許請求の範囲】
【請求項１】
水田内、法面地中に縦穴を掘り下げて、前記縦穴の内部空間に多段リング骨材、各種形状骨材を挿入し、前記多段リング骨材、各種形状骨材の外周全体に杭打ち工法において、杭打ちを行い。前記多段リング骨材内部空間に集水する機能を有する自然、人為排水集水容器
【請求項２】
水田地中内の範囲内において地中横穴を掘り下げ、空間に多段リング骨材、各種形状骨材、ヒューム管等を水平挿入すると、前記多段リング骨材内部に集水空間容器が形成され、前記多段リング骨材、各種形状骨材の外周面に水平杭を配列し、前記多段リング骨材を補強し、法面の尻、水田内の水を集水する容器
【請求項３】
法面、畦地中に縦穴を掘り下げてその内部空間に建柱、アーチ型建柱を挿入して建柱を行い前記垂直建柱の多段支点より架線配線網による、降雨水防水シートによる電柱構築架線による、棚田、水田活用の、畜舎、温室、倉庫、作業場等の構築物に展開する建柱構築物
【発明の詳細な説明】
【技術分野】
【０００１】
本発明は水田の排水に関連した建柱構築に関する。
【背景技術】
【０００２】
現在においても、水田の稲作の収穫時、裏作などに適した土壌環境の整った地域は失われている。地球温暖化により季節外れの降雨が稲作農業者、裏作野菜栽培者にとり、棚田法面の尻、水田内の排水機能がないため、作業効率の低下を招き、労働時間が不必要に長くなり、栽培、収穫の計画性が失われ降雨対策、すなわち水田排水作業に追われる日々を送ることとなる。天候に左右されない農作業効率向上の方法による解決がなされていないのが現状である。
【０００３】
日本列島の地形の農地は棚田をはじめ水田において、畦、法面により形成している為法面と水田の境界地点（の尻）では水の排水が極めて悪い。畦も同様。しかしながら排水機能において、農家が満足できる方法がないため、本年のような天候不順の場合、無駄な農作業を強いられる。法面の尻排水、水田内、畦付近のたまり水の問題が解決される方法が考案されることが期待されている。また農地改善事業による規模拡大による水田環境は土壌排水機能が従来の農地と比較して著しく悪化した水田がみられる、すなわち農地拡大による弊害が生まれたことになる。農地環境は地域の土壌地質構造により排水状態が大きく変わる。故に拡大する農地の地質調査をそして排水状況を放置した結果、農家の作業実態は従来必要でなかった作業を強いられることが現実に起こっている。
【発明の概要】
【発明が解決しようとする課題】
【０００４】
法面と水田との境界地点では、法面の尻排水の水はけが特に悪く、常に水田に雨
水、法面雨水、湧き水、地下水がたまり農作業の妨げとなっている。この課題を解決すれば、農作業効率の向上が図られ、尚且つ農業従事者の排水作業における艱難辛苦の解放へと導くことが可能となる。いまだ、法面の尻排水は一向に解決策がなく淡路方言で言う、海根堀、ねき掘り秋の収穫前の排水作業はとても重労働である。
【課題を解決するための手段】
【０００５】
法面の尻、構造改善圃場排水をいかにして、排水施工し、そして，降雨水、法面表水、湧き水、地下水を農業用水路に導き排水するかが問われている。従来の発想ではこの法面の尻、圃場排水は解決されない。まず、空からの降雨水をいかにしてコントロールするかは電柱構築を用途別に展開することで課題解決はいとも簡単に解決される。電柱に限らず、鉄骨、原木建柱コンクリート建柱などを採用して理想的な棚田、水田圃場の構築に向けた手段を実践することが可能である。電柱架線配線を応用して温室ハウス等を展開すればよい。
【０００６】
水田地表面、法面の尻に発生する降雨水、地面湧き水、地下水による土壌環境の悪化を解決するには、法面の尻排水機能を考慮すれば解決策が見いだされる。すなわち、軟弱な土壌周辺に上記記載のあらゆる水を集水するための、法面の尻と水田との境界地点を基準に法面側に縦穴を掘り、縦穴空間を形成する。ただ縦穴を形成しただけでは、法面崩壊を招き、各種災害を誘発することになり縦穴空間が埋もれることにもなる。このような課題を解決するには、縦穴を掘り後直ちに多段リング骨材を挿入し、次に多段リング骨材の外周全般の杭打ち工法にて施工して縦開口穴と多段リング骨材との隙間空間を杭打ち工法により隙間を埋めるための杭棒を順次補足し杭棒補強を行うことにより、法面強化を図り、多段リング骨材内の多段リング骨材空間内に、各杭棒接触面より法面溜まり水、地中水が流れ込み多段リング骨材空間内に地下水が集水されることになる。この集水された水は排水パイプと連動施工により下り坂勾配する農業用水路に排水される。排水パイプの放水先端出口には排水バルブを施工することは公知の通りである。以上は自然に排水可能な手段であるが、排水パイプよりも人為的機械（排水ポンプ）で排水する方が容易な場合は人為的機械排水ポンプにより排水する。なお、縦穴開口穴において地中の土質状態が砂地の場合、保水機能が失われるため、保水を維持するために、多段リング骨材を挿入後、多段リング骨材内部にひも付き袋（ビニール袋、布袋、籠メッシュ等）に土砂、砕石を入れたのち、ひも付き袋を順次、多段リング骨材内部に挿入し保水機能を保持することが可能となる。秋の収穫時には排水機能を回復するため、多段リング骨材に収容したひも付き袋を地上に引き上げ多段リング骨材における排水機能を回復する。ひも付き袋のひもは地上において束ねておく。
【０００７】
水田内に排水機能を構築する為には縦穴を掘り下げることは不可能であるため、溝堀（水平）を行いその空間に多段リング骨材、各種多段骨材、ヒーユウム管等を連結水平挿入につき、まず初めに杭棒を床面に配備して多段リング骨材、上記骨材等、全体を覆い地盤埋戻し施工を行い整地する。尚、この各種多段リング骨材内の空間に連動される排水パイプは土砂が入らない位置に配備すると排水機能が長く保たれる。排水パイプに土砂が流れ込むと排水機能が失われる。この溝堀をクロスバー形状に掘り下げて配置すると理想的な排水機能が構築することが可能である。ここでは技術公開はしないが。説明の関係上多段リング骨材で説明するが各種骨材を採用する場合もある、また杭打ち工法を採用する場合もある。縦穴開口穴と水平地中との連結排水機能を増大する方法も展開することが可能である。ここで多段リング骨材に関連した各種骨材形状について説明する。現場状況、設置位置、法面軟弱、排水規模等により各骨材形状は設置状況により変わることは、充分考慮されるべきである。リング、三角形、正方形、長方形上の多段骨材を考慮した排水機能集水容器を設置する。
【０００８】
地上上空からの異常気象による大量の降雨から農作物を守るには、電柱架線配線構築が安価な施工技術として採用される技術である。農家にとり地上からの天候に左右されることは、降雨日が続けば土壌がぬかるみ、晴天が続けば干ばつに見舞われ、そのうえ野鳥被害が発生する状況は農業ほど天候に野生動物に振り回されることはないといって過言でない状態から本発明は縦穴を掘りによる、電柱構築すなわち建柱構築の展開による架線配置による防水シート配備等により地上からの上記課題を一挙に解決するための唯一の方法をここに提供する。一例として架線配線の展開は地上電柱の全長１２m柱を採用した場合、電柱は地上の高さは１０ｍが基準であり、地中埋設部は２ｍである。１０m電柱を地上から１m間隔で架線支点を設けるとその電柱に１０ヵ所の架線支点が生まれる。他の対称電柱間においても電柱支点は同じ支点が出来る。各支店を結ぶ架線配線は構築物に照らして各支点架線配備網を計画するならば、架線配線は台風時にも耐えられる、構築物になりうる。この理由の一つに電気通信法による、電柱全長の長さの６分の１の縦開口穴の長さを基準としている。６m柱では縦開口穴は１mの深さが基準である。縦穴開口穴は地上に露出する部分が少ないため、建柱構造物の安定性が充分確保可能となる。（一例に１２m柱を採用したが、水田作業時においては２，５ｍの高さがあれば作業の妨げにはならないので電気通信法の建柱基準より安定した建柱が可能となる。直線架線において距離が長い場合架線中心点、分配支点等に真下すなわち垂直支線を固定することにより直線架線配線は強風時に振幅が減少され架線が安定を保持する。この水田架線配線は地上すれすれの架線配線をも可能となりうる。適材高低可能
【発明の効果】
【０００９】
法面の尻排水は本発明の縦穴掘り下げによる施工により.縦穴に多段リング骨材を挿入し多段リング骨材の外周を各種杭打ち工法により、多段リング骨材の全体補強を促し、多段リング骨材を外部からの法面応力強化を図ることで、法面強化、排水機能向上となる。多段リング骨材内部に形成された、排水集水容器は排水パイプと連動している為、土壌環境を考慮の上に、排水すれば，農家の求める土壌環境が生まれる。法面の尻の軟弱な土壌環境を改善し、農作業効率、労働時間短縮に寄与する。ここでもう一度、杭棒を採用した理由について説明する、法面の尻に縦開口穴を施工すれば、電柱と開口穴とに隙間空間が生まれる、そのために法面補強を保持するために従来では隙間空間に土砂埋設、砕石埋設により隙間空間を補強することとなる。しかしながら土壌、砕石埋設補強を行うことは、地下水、耕作層の水、地底部の俳水の浸透性を失うことになる為、各不要水を多段リング骨材内に集水するためには、杭棒採用により。水排水の浸透性を保持するため水の集水が簡単に集まる工法である。この縦穴垂直、水平地中配備においては水田に限らず、屋外での降雨水対策において競技場配置も容易に採用することが可能となる。
【００１０】
建柱構築に関しての展開は、各分野の法令、建築物法令が足枷となりうるので、この特許出願では、温室、畜舎、倉庫、作業場等が可能であることのみを示す。
【図面の簡単な説明】
【００１１】
【図１】法面地中に縦穴を掘り下げた断面図である。
【図２】多段リング骨材の断面図である
【図３】縦穴空間と多段リング骨材との配置断面図である。
【図４】多段リング骨材と杭打ち施工の平面図である
【図５】建柱縦穴と多段リング骨材の法面の尻の開口穴断面図である。
【図６】長い縦穴に建柱を、短縦穴に多段リング骨材を配備した断面図。
【図７】棚田建柱と架線配線の断面図である。
【図８】縦穴空間に挿入する建柱の正面図である。
【図９】縦穴と多段リング骨材との間に打ち込む杭棒正面図である。
【図１０】水田地中に多段リング骨材をクロス配備した断面図である。
【発明を実施するための形態】
【００１２】
図１は畦４から下った法面１であり、法面の尻２の境界地点５は同じ位置であり、多段リング空間１１の口径は４５０ｍｍで穴の深さは２０００ｍｍ〜１０００ｍｍ、あるいは５００ｍｍと土壌環境に対応して地権者の意向により深さ、開口穴口径を決定する。
【００１３】
図２は多段リング空間穴１１の断面図である。多段リング骨材８の３段を形成し、リング７と支柱１９により各接合部は金属溶接により強固な多段リング骨材８を形成したものである。この多段リング骨材８の外周は３００ｍｍと設定し多段リング空間内１１に収容し境界地点側５で１００ｍｍ、法面側で５０ｍｍの隙間空間を有するように配備する長さは１０００ｍｍ、２０００ｍｍに対応した長さ設定を行う。図２は多段リング骨材８の正面図である。多段リング骨材の口径は、３００ｍｍに限定するものでなく、大規模な口径排水集水容器をも施工可能であり排水集水容器におうじて地中開口穴の口径、深さを決定すればよい。各種資材、骨材、形状は公知技術であるため開示はしない。（請求項１に対応）  
【００１４】
図３は法面の尻２より法面側１に縦穴開口穴６（口径直径４５０ｍｍ）を１０００ｍｍ〜２０００ｍｍ掘り下げと後、多段リング骨材８それぞれの縦穴開口穴６と同一の長さを施工しその多段リング骨材８を収容した断面図であり、施工順序は地面掘り下げ後、低部面を固め多段リング骨材８を収容して、多段リング骨材８の全周に杭棒１０を垂直打ち込み多段リング骨材８の補強を行う。ことで法面１の補強にも効果が生まれる。図３は縦穴開口穴６に多段リング骨材８を挿入した断面図ではあるが杭棒１０の打ち込みについて、ひも付き袋投入の図は開示しない。（請求項１に対応）
【００１５】
図４は多段リング骨材８配備後の杭打ち１０完了後の平面図である。多段リング骨材８の外周面には杭打ち１０が完了した雨水集水を可能する内部雨水収容容器２０である。（請求項１に対応）
【００１６】
図５は建柱１７、多段リング骨材８を収容するための縦穴開口穴６を示すものであり、この設置の位置は法面の尻２の水田３の端から端までの距離に任意の長さにおいて配置することとし、縦穴開口穴６の深さ２０００ｍｍは建柱１７、短い開口の深さには多段リング骨材８を収容して排水機能能の向上を図る、この場合、多段リング骨材８採用の排水機能を充実するためには全ての排水集水容器２０は連結して排水パイプ１２を連結したのち農業用水路に配することとする。この図５は各縦穴開口穴６の断面図である。排水パイプの設置は公知技術であるため開示はしない。（請求項３対応）
【００１７】
図６は縦穴開口穴６に建柱１７のみを建柱１７した断面図である。建柱１７の先端には左右建柱間１７に架線１８が張られている。この架線１８は上空の降雨制御、野鳥被害を解消するための架線配線１８であり多岐方向に架線１８可能な公知設備を可能にする。例えば、ネット張りによる野鳥被害対策、雨水シート張りによる、降雨対策などに活用する。（請求項３に対応）
【００１８】
図７は棚田２１における、建柱１７、および架線配線１８についての断面図ではあるが多段棚田２１と法面の尻２建柱支点１７の各段との連結架線１８により自由自在の架線配線１８が可能となり農家の希望する構築物を容易に構築できしかも農業作物を栽培するにおいて、上空の気象状況にかかわらず、作業を進行することは、従来の無駄なる作業が解消されることとなる。（請求項３に対応）
【００１９】
図８は多段リング骨材９を水田３地中に水平配備する配置方法の断面図である、
クロスバー溝開口による溝部に多段リング骨材を入れ込み水田地中にクロスバー形態で配置して水田の地表面に降雨する雨水を地中に埋設施工された多段リング骨材排水集水容器内に収容する。ここでも排水パイプ施工の開示は公知技術であるため開示はしない。（請求項２に対応）
【００２０】
図８は建柱１７に使用する電柱断面図である。
【００２１】
図９は多段リング骨材８と縦開口穴６の隙間空間を埋めるための杭棒１０の断面図である。
【００２２】
図１０は水田内に配備する多段リング骨材（水平）のクロスバー配置の平面図である。（請求項２に対応）
【符号の説明】
【００２３】
１    法面
２    法面のり尻
３    水田
４    畦
５    境界地点
６    縦穴開口穴
７    リング
８    多段リング骨材（垂直）
９    多段リング骨材（水平）
１０  杭棒（竹材、原木、金属パイプ、非金属パイプ）
１１  多段リング空間
１２  排水パイプ
１３  排水バルブ
１４  地表面
１５  耕作層
１６  深部層
１７  電柱
１８  架線
１９  支柱
２０  排水集水容器
２１  棚田
２２  地中
【図１】
2018084096.tif 000003
【図２】
2018084096.tif 000004
【図３】
2018084096.tif 000005
【図４】
2018084096.tif 000006
【図５】
2018084096.tif 000007
【図６】
2018084096.tif 000008
【図７】
2018084096.tif 000009
【図８】
2018084096.tif 000010
【図９】
2018084096.tif 000011
【図１０】
2018084096.tif 000012